(57)【要約】【課題】液ダレしても開閉に支障をきたしづらくする蓋、および蓋付き容器を提供する。【解決手段】本発明の蓋は、開口を有する容器の前記開口側を覆う蓋であって、前記蓋が前記容器に装着された際、前記容器の前記開口側が延在する方向（以下、容器開口側延在方向と呼ぶ。）に延在し、前記容器の前記開口側が挿入される容器挿入側凹部と、予備空間を有する予備部と、前記容器挿入側凹部により囲まれる容器挿入空間と、前記予備部の前記予備空間とを連通させる連通通路と、前記容器挿入側凹部の最奥面から凸となり、前記容器挿入側凹部に前記容器の前記開口が挿入されると、前記容器の前記開口を塞ぐ栓部と、を有する。【選択図】  図７
2020193032.tif 000002
【特許請求の範囲】
【請求項１】
開口を有する容器の前記開口側を覆う蓋であって、
前記蓋が前記容器に装着された際、前記容器の前記開口側が延在する方向（以下、容器開口側延在方向と呼ぶ。）に延在し、前記容器の前記開口側が挿入される容器挿入側凹部と、
予備空間を有する予備部と、
前記容器挿入側凹部により囲まれる容器挿入空間と、前記予備部の前記予備空間とを連通させる連通通路と、
前記容器挿入側凹部の最奥面から凸となり、前記容器挿入側凹部に前記容器の前記開口が挿入されると、前記容器の前記開口を塞ぐ栓部と、
を有することを特徴とする、
蓋。
【請求項２】
前記蓋が前記容器に装着された際、前記容器開口側延在方向に延在すると共に、前記容器の前記開口およびその近傍の周囲を前記容器の周方向を一周するように囲む周壁と、
前記周壁により囲まれる空間を前記容器開口側延在方向に２つに分離して、前記容器挿入空間および前記予備空間を形成する分離壁と、
を備え、
前記容器挿入側凹部は、前記容器挿入空間側の前記周壁の内部側壁面（以下、容器挿入空間側内部壁面と呼ぶ。）と、前記容器挿入空間側の前記分離壁の壁面（以下、容器挿入空間側分離壁面と呼ぶ。）とで形成され、
前記予備部は、前記予備空間側の前記周壁の内部側壁面と、前記予備空間側の前記分離壁の壁面とで凹部として形成され、
前記栓部は、前記容器挿入空間側分離壁面を起点として、前記容器開口側延在方向の前記容器挿入空間側に凸となることを特徴とする、
請求項１に記載の蓋。
【請求項３】
前記容器が前記容器挿入側凹部に挿入されて前記栓部により前記開口が塞がれた際、
前記容器挿入側凹部の形成面は、
前記開口を起点として広がる前記容器の開口側端面と対向する側から前記容器の前記開口側端面の一部領域（以下、端面側密着領域と呼ぶ。）と密着する開口側密着領域を有し、
前記開口側密着領域と密着しない前記容器の前記開口側端面の残りの領域（以下、端面側非密着領域と呼ぶ。）は、前記容器開口側延在方向において、前記容器挿入空間に近位な側の前記連通通路の開口と対向することを特徴とする、
請求項１または２に記載の蓋。
【請求項４】
前記端面側非密着領域は、前記容器の前記開口側端面の前記開口を起点として外側に広がる領域であり、
前記端面側密着領域は、前記端面側非密着領域の外縁を起点として外側に広がる領域であることを特徴とする、
請求項３に記載の蓋。
【請求項５】
前記容器挿入側凹部の形成面は、
前記容器の外周面と対向する側から、前記容器の前記開口側の端部を起点とした前記容器開口側延在方向の所定区間における前記容器の外周面全体と密着する外周側密着領域を有することを特徴とする、
請求項３に記載の蓋。
【請求項６】
前記端面側密着領域は、前記容器の前記開口側端面の前記開口を起点として外側に広がる領域であり、
前記端面側非密着領域は、前記端面側密着領域の外縁を起点として外側に広がる領域であることを特徴とする、
請求項５に記載の蓋。
【請求項７】
前記容器が前記容器挿入側凹部に挿入されて前記栓部により前記開口が塞がれた際、
前記容器挿入側凹部の形成面は、
少なくとも前記容器の前記開口側の端部およびその近傍における前記容器の外周面との間に隙間空間が形成される隙間空間形成領域を有し、
前記連通通路は、前記隙間空間と前記予備空間とを連通させるよう構成されることを特徴とする、
請求項１または２に記載の蓋。
【請求項８】
前記連通通路には、前記容器挿入空間側から前記予備空間側に向かう所定の大きさの力が加わると開く弁部が設けられることを特徴とする、
請求項１〜７のいずれかに記載の蓋。
【請求項９】
請求項１〜８のいずれかに記載の蓋と、
開口を有する容器と、
を有することを特徴とする、
蓋付き容器。
【発明の詳細な説明】
【技術分野】
【０００１】
本発明は、蓋、および蓋付き容器に関する。
【背景技術】
【０００２】
一般的に、接着剤が収容されたキャップ付き容器は、接着剤を容器の吐出口から吐出させた直後に、キャップを閉めると液ダレが発生することがある。液ダレが発生すると、接着剤は、容器の吐出口の周囲において硬化する。結果、キャップと容器の吐出口の近傍とが接着してしまい、キャップを開けることが極めて困難になる。従来、容器の吐出口の周囲とキャップとの間には、隙間があまりなかったため、液ダレが多少でもあると上記のような不具合が生じていた。
【０００３】
以上のようなことを解決するため、容器の吐出口近傍の外周面と、キャップの内周面との間に、大きな環状空間が形成されるように構成されたキャップ付チューブ容器が提案されている（例えば、特許文献１参照）。このキャップ付チューブ容器によれば、接着剤が液ダレしても、環状空間に、ある程度の量の接着剤を収容できるため、液ダレが多少あっても、キャップを開けることが極めて困難になるということを回避することができる。
【先行技術文献】
【特許文献】
【０００４】
【特許文献１】特許第５６６８９３３号公報
【発明の概要】
【発明が解決しようとする課題】
【０００５】
しかしながら、上記キャップ付チューブ容器のようにキャップ内部において環状空間を大きくしても、環状空間にある程度の量の接着剤が収容されると、結局、キャップと容器の吐出口の近傍とが接着してしまい、キャップを開けることが極めて困難になる点は、変わらない。
【０００６】
本発明は、斯かる実情に鑑み、液ダレしても開閉に支障をきたしづらくする蓋、および蓋付き容器を提供することを目的とする。
【課題を解決するための手段】
【０００７】
本発明は、上記課題を解決するためになされたものであり、本発明の蓋は、開口を有する容器の前記開口側を覆う蓋であって、前記蓋が前記容器に装着された際、前記容器の前記開口側が延在する方向（以下、容器開口側延在方向と呼ぶ。）に延在し、前記容器の前記開口側が挿入される容器挿入側凹部と、予備空間を有する予備部と、前記容器挿入側凹部により囲まれる容器挿入空間と、前記予備部の前記予備空間とを連通させる連通通路と、前記容器挿入側凹部の最奥面から凸となり、前記容器挿入側凹部に前記容器の前記開口が挿入されると、前記容器の前記開口を塞ぐ栓部と、を有することを特徴とする。
【０００８】
また、本発明の蓋において、前記蓋が前記容器に装着された際、前記容器開口側延在方向に延在すると共に、前記容器の前記開口およびその近傍の周囲を前記容器の周方向を一周するように囲む周壁と、前記周壁により囲まれる空間を前記容器開口側延在方向に２つに分離して、前記容器挿入空間および前記予備空間を形成する分離壁と、を備え、前記容器挿入側凹部は、前記容器挿入空間側の前記周壁の内部側壁面（以下、容器挿入空間側内部壁面と呼ぶ。）と、前記容器挿入空間側の前記分離壁の壁面（以下、容器挿入空間側分離壁面と呼ぶ。）とで形成され、前記予備部は、前記予備空間側の前記周壁の内部側壁面と、前記予備空間側の前記分離壁の壁面とで凹部として形成され、前記栓部は、前記容器挿入空間側分離壁面を起点として、前記容器開口側延在方向の前記容器挿入空間側に凸となることを特徴とする。
【０００９】
また、本発明の蓋において、前記容器が前記容器挿入側凹部に挿入されて前記栓部により前記開口が塞がれた際、前記容器挿入側凹部の形成面は、前記開口を起点として広がる前記容器の開口側端面と対向する側から前記容器の前記開口側端面の一部領域（以下、端面側密着領域と呼ぶ。）と密着する開口側密着領域を有し、前記開口側密着領域と密着しない前記容器の前記開口側端面の残りの領域（以下、端面側非密着領域と呼ぶ。）は、前記容器開口側延在方向において、前記容器挿入空間に近位な側の前記連通通路の開口と対向することを特徴とする。
【００１０】
また、本発明の蓋において、前記端面側非密着領域は、前記容器の前記開口側端面の前記開口を起点として外側に広がる領域であり、前記端面側密着領域は、前記端面側非密着領域の外縁を起点として外側に広がる領域であることを特徴とする。
【００１１】
また、本発明の蓋において、前記容器挿入側凹部の形成面は、前記容器の外周面と対向する側から、前記容器の前記開口側の端部を起点とした前記容器開口側延在方向の所定区間における前記容器の外周面全体と密着する外周側密着領域を有することを特徴とする。
【００１２】
また、本発明の蓋において、前記端面側密着領域は、前記容器の前記開口側端面の前記開口を起点として外側に広がる領域であり、前記端面側非密着領域は、前記端面側密着領域の外縁を起点として外側に広がる領域であることを特徴とする。
【００１３】
また、本発明の蓋において、前記容器が前記容器挿入側凹部に挿入されて前記栓部により前記開口が塞がれた際、前記容器挿入側凹部の形成面は、少なくとも前記容器の前記開口側の端部およびその近傍における前記容器の外周面との間に隙間空間が形成される隙間空間形成領域を有し、前記連通通路は、前記隙間空間と前記予備空間とを連通させるよう構成されることを特徴とする。
【００１４】
また、本発明の蓋において、前記連通通路には、前記容器挿入空間側から前記予備空間側に向かう所定の大きさの力が加わると開く弁部が設けられることを特徴とする。
【００１５】
また、本発明の蓋付き容器は、上記蓋と、開口を有する容器と、を有することを特徴とする。
【発明の効果】
【００１６】
本発明によれば、液ダレしても蓋の開閉に支障をきたしづらくすることができるという優れた効果を奏し得る。
【図面の簡単な説明】
【００１７】
【図１】（Ａ）は、本発明の第一実施形態における蓋付き容器の正面図である。（Ｂ）は、本発明の第一実施形態における蓋付き容器の蓋と容器を分離させたときの蓋付き容器の正面図である。
【図２】本発明の第一実施形態における蓋付き容器における容器のみの断面図である。
【図３】（Ａ）は、本発明の第一実施形態における蓋付き容器における容器の一区間の断面図である。（Ｂ）は、本発明の第一実施形態における蓋付き容器の変形例における容器の一区間の断面図である。（Ｃ）は、本発明の第一実施形態における蓋付き容器およびその変形例における容器の一区間において外側から押圧して弾性変形させた状態を示す断面図である。
【図４】（Ａ）は、本発明の第一実施形態における蓋付き容器における蓋のみの断面図である。（Ｂ）は、本発明の第一実施形態における蓋付き容器において蓋が容器に装着された際の蓋部分の断面図である。（Ｃ）は、本発明の第一実施形態における蓋付き容器における蓋を、蓋の軸方向の下側から軸視した図である。（Ｄ）は、本発明の第一実施形態における蓋付き容器における蓋の変形例を蓋の軸方向の下側から軸視した図である。
【図５】（Ａ），（Ｂ）は、本発明の第一実施形態における蓋付き容器において液ダレが発生した際の内容物（液体）の流れを時系列に並べた図である。
【図６】（Ａ），（Ｂ）は、本発明の第一実施形態における蓋付き容器において硬化した接着剤を取り除く様子を時系列に並べた図である。
【図７】（Ａ）は、本発明の第二実施形態における蓋付き容器における蓋のみの断面図である。（Ｂ）は、本発明の第二実施形態における蓋付き容器において蓋が容器に装着された際の蓋部分の断面図である。（Ｃ）は、本発明の第二実施形態における蓋付き容器における蓋を、蓋の軸方向の下側から軸視した図である。
【図８】（Ａ）は、本発明の第二実施形態における蓋付き容器において蓋が容器に装着された際の蓋部分の断面拡大図である。なお、（Ａ）の楕円領域Ｋでは蓋の変形例が示されている。（Ｂ）は、本発明の第二実施形態における蓋付き容器において蓋が容器に装着された際の容器および蓋の位置関係を蓋の軸方向の下側から軸視した図である。
【図９】（Ａ）,（Ｂ）は、本発明の第二実施形態における蓋付き容器の変形例において蓋が容器に装着された際の蓋部分の断面拡大図である。
【図１０】（Ａ）は、本発明の第二実施形態における蓋付き容器の優位性を説明するための図である。（Ｂ）は、本発明の第一実施形態における蓋付き容器における蓋の変形例を示す蓋のみの断面図である。
【図１１】（Ａ）は、本発明の第三実施形態における蓋付き容器における蓋のみの断面図である。（Ｂ）は、本発明の第三実施形態における蓋付き容器において蓋が容器に装着された際の蓋部分の断面図である。
【図１２】（Ａ），（Ｂ）は、本発明の第三実施形態における蓋付き容器において液ダレが発生した際の弁部の動作を時系列に並べた図である。
【発明を実施するための形態】
【００１８】
以下、本発明の実施形態を添付図面を参照して説明する。
【００１９】
＜第一実施形態＞
図１を参照して、本発明の第一実施形態における蓋付き容器１について説明する。本発明の第一実施形態における蓋付き容器１は、例えば、接着剤等の液体を収容するものである。蓋付き容器１は、図１（Ａ）に示すように、容器２と、蓋３と、を有する。
【００２０】
＜容器＞
図１〜図３を参照して、容器２について説明する。容器２は、図１（Ｂ）に示すように、容器本体部２０と、ノズル２１と、容器収容部２２と、を有する。容器本体部２０は、図１（Ｂ）および図２に示すように、内部に収容空間２３を有する。収容空間２３には、例えば、接着剤等の液体が収容される。また、容器本体部２０は、図２に示すように、容器本体部２０の軸（以下、容器側軸と呼ぶ。）２０Ｂの周りの容器本体部２０の外周面２０Ａに、容器本体部２０の軸方向Ｙ（以下、容器側軸方向Ｙと呼ぶ。）に直角な容器本体部２０の径方向Ｘ（以下、単に径方向Ｘと呼ぶ。）に凸となる凸部２４を有する。凸部２４は、凸部２４の周囲近傍の外周面２０Ａよりも径方向Ｘに凸となっている。なお、本実施形態において容器側軸方向Ｙは、容器本体部２０の深さ方向（以下、容器深さ方向と呼ぶ。）と一致し、容器側軸方向Ｙを容器深さ方向Ｙと適宜、置き換えてもよい。
【００２１】
ノズル２１は、図２に示すように、容器本体部２０につながっている。ノズル２１は、容器本体部２０に連結機構を介して連結される態様であってもよいし、容器本体部２０と一体形成される態様であってもよい。ノズル２１は、連通通路２５と、先端開口２６と、を有する。連通通路２５は、容器本体部２０の収容空間２３と連通する。収容空間２３に収容される内容物は、連通通路２５を通じて先端開口２６から排出される。また、収容空間２３に内容物を収容する際、先端開口２６から充填される。
【００２２】
容器収容部２２は、図２に示すように、容器本体部２０の全体およびノズル２１の一部を収容するものである。容器収容部２２は、内部に収容空間２２Ａを有する。収容空間２２Ａには、容器本体部２０の全体およびノズル２１の一部が収容される。
【００２３】
容器収容部２２は、収容空間２２Ａの周囲に、容器収容側周壁部２７と、容器収容側床部２８と、を有する。容器収容側周壁部２７は、容器側軸２０Ｂの周りにおいて収容空間２２Ａを取り囲むものである。容器本体部２０の全体およびノズル２１の一部が収容空間２２Ａに収容されると、容器収容側周壁部２７は、容器側軸２０Ｂの周りの容器本体部２０の外周面２０Ａ、および容器側軸２０Ｂの周りのノズル２１の外周面２１Ａの一部を覆う。
【００２４】
具体的に容器収容側周壁部２７は、例えば、筒状に形成される。そして、容器収容側周壁部２７は、容器側軸方向Ｙの両端に、容器上方側開口２７Ａおよび容器下方側開口２７Ｂを有する。ノズル２１は、容器上方側開口２７Ａを通って容器側軸方向Ｙの上方側に突出する。容器下方側開口２７Ｂには、容器収容側床面２８Ａを有する容器収容側床部２８が挿入される。そして、容器収容側床部２８は、容器下方側開口２７Ｂを塞ぐ。また、容器収容側床面２８Ａは、容器側軸方向Ｙにおいて収容空間２２Ａに対向する。これにより、収容空間２２Ａは、容器収容側周壁部２７と、容器収容側床部２８とにより取り囲まれる。
【００２５】
また、ノズル２１周りを取り囲む容器収容部２２の外周面には、容器側係止部２９が設けられる。容器側係止部２９は、後述する蓋側係止部３６と一体となって、蓋３を容器２に係止する係止機構を構成する。容器側係止部２９として、例えば、容器収容部２２の外周面に形成される雄ねじ溝が一例として挙げられる。また、係止機構は、例えば、容器本体部２０の外周面に設けられたリブ（容器側係止部２９）と、蓋の内周面側に設けられたリブに嵌合する凹部（蓋側係止部３６）とにより構成されたワンタッチで脱着可能な機構であってもよいし、その他の機構であってもよい。
【００２６】
また、容器本体部２０の凸部２４と径方向Ｘにおいて対向する容器収容側周壁部２７の一部（以下、凸部対向側周壁部）２７Ｃは、図３（Ｃ）に示すように、例えば、外部から径方向Ｘの内側に押圧されたときに、径方向Ｘの内側に凸となるように、弾性変形する。そして、凸部対向側周壁部２７Ｃの内部側壁面２７Ｄが容器本体部２０の凸部２４の外周面に接触して、容器本体部２０を径方向Ｘの内側に凸となるように変形させるよう構成される。凸部対向側周壁部２７Ｃは、図１（Ａ），（Ｂ）および図３（Ａ）に示すように、容器収容部２２の外部側において、凸部対向側周壁部２７Ｃの周囲近傍よりも径方向Ｘの外側に凸となった形状となることが好ましい。凸部対向側周壁部２７Ｃの位置を容器の利用者に認識させるためである。
【００２７】
なお、図３（Ａ）に示すように、凸部対向側周壁部２７Ｃに対して径方向Ｘの内側に外部から力を加えられていない初期状態において、凸部対向側周壁部２７Ｃにおける内部側壁面２７Ｄは、凸部２４に接触した状態になっているが、これに限定されるものではない。図３（Ｂ）に示すように、例えば、凸部対向側周壁部２７Ｃに対して径方向Ｘの内側に外部から力を加えられていない初期状態において、内部側壁面２７Ｄは、凸部２４の表面２４Ａに接触しておらず、凸部２４の表面２４Ａから所定距離離れた状態にあってもよい。ただし、この場合であっても、凸部対向側周壁部２７Ｃに対して径方向Ｘの内側に外部から力を加えられると、図３（Ｃ）に示すように、凸部対向側周壁部２７Ｃは、弾性変形して凸部２４に接触すると共に、容器本体部２０が径方向Ｘの内側に凸となる。
【００２８】
このとき、凸部対向側周壁部２７Ｃは、容易に内部側に弾性変形可能なように、軟質素材により構成されることが好ましい。軟質素材として、例えば、エラストマーが挙げられる。この場合、凸部対向側周壁部２７Ｃは、容器収容部２２に一体形成されずに、別部材として構成されてもよい。つまり、凸部対向側周壁部２７Ｃは、容器収容部２２に設けられた孔を塞ぐように取り付けられてもよい。
【００２９】
なお、本実施形態においてノズル２１は、容器本体部２０の容器側軸方向Ｙに延在するが、これに限定されるものではない。例えば、例えば、ノズル２１が容器本体部２０の側面から径方向Ｘに延在してもよい。
【００３０】
＜蓋＞
図４〜図６を参照して、蓋３について説明する。蓋３は、図４（Ｂ）に示すように、容器２の先端開口２６側に被せて容器２の先端開口２６を覆うものである。蓋３は、蓋本体部３０と、栓部３１と、を有する。
【００３１】
＜蓋本体部＞
蓋本体部３０は、周壁３２と、分離壁３３と、連通通路３４と、蓋側係止部３６と、を有する。周壁３２は、筒状を成すものである。具体的に周壁３２は、図４（Ａ）に示すように、周壁３２の軸（以下、蓋側軸と呼ぶ。）３２Ｄの軸方向（以下、蓋側軸方向と呼ぶ。）Ｔに延在すると共に、蓋側軸３２Ｄの周りを一周するものである。つまり、図４（Ｃ）に示すように、周壁３２は、蓋側軸３２Ｄに垂直な平面で切ったときに、断面が環状となる。そして、容器２に蓋３が装着された際、周壁３２は、図４（Ｂ）に示すように、容器側軸方向Ｙに延在すると共に、容器側軸２０Ｂの周り（容器２の周方向）を一周して容器２の先端開口２６およびその近傍（ノズル２１）の周囲を囲む。なお、本実施形態では蓋側軸方向Ｔと容器側軸方向Ｙとは一致する。
【００３２】
周壁３２の厚みは、位置によって異なる。つまり、図４（Ａ）に示すように、周壁３２の外部側壁面３２Ａは、蓋側軸方向Ｔに沿って略直線状に延在する。一方、周壁３２の内部側壁面３２Ｅは、途中に段部３２Ｆを有し、容器２の周面２Ａの形状に沿って延在する。周壁３２は、図４（Ｂ）に示すように、段部３２Ｆを境に、容器側軸方向Ｙの下方側よりも容器側軸方向Ｙの上方側の方が、厚みが厚くなる。
【００３３】
分離壁３３は、周壁３２の内部側に設けられるものである。分離壁３３は、図４（Ａ）に示すように、周壁３２により囲まれる空間を周壁３２の延在方向（蓋側軸方向Ｔ）に２つに分離する。分離された一方側の空間を容器２が挿入される容器挿入空間Ｓ１と定義し、分離された他方側の空間を予備空間Ｓ２と定義する。
【００３４】
容器挿入空間Ｓ１は、容器挿入側凹部３７により周囲を取り囲まれる。容器挿入側凹部３７は、容器挿入空間Ｓ１側の周壁３２の内部側壁面（以下、容器挿入空間側内部壁面と呼ぶ。）３２Ｂと、容器挿入空間Ｓ１側の分離壁３３の壁面（以下、容器挿入空間側分離壁面と呼ぶ。）３３Ｂとで構成される。容器挿入空間側内部壁面３２Ｂは、分離壁３３を起点として蓋側軸方向Ｔ（容器側軸方向Ｙ）の下方側に延在すると共に蓋側軸３２Ｄ（容器側軸２０Ｂ）を軸とする環状の面であり、蓋側軸３２Ｄ（容器側軸２０Ｂ）の周り方向を一周して容器挿入空間Ｓ１の周囲を取り囲む。容器挿入空間側分離壁面３３Ｂは、容器挿入空間Ｓ１よりも蓋側軸方向Ｔ（容器側軸方向Ｙ）の上方側に位置し、蓋側軸方向Ｔ（容器側軸方向Ｙ）において容器挿入空間Ｓ１と対向する。
【００３５】
予備空間Ｓ２は、予備凹部３８により周囲を取り囲まれる。予備凹部３８は、予備空間Ｓ２側の周壁３２の内部側壁面（以下、予備空間側内部壁面と呼ぶ。）３２Ｃと、予備空間Ｓ２側の分離壁３３の壁面（以下、予備空間側分離壁面と呼ぶ。）３３Ｃとで構成される。予備空間側内部壁面３２Ｃは、分離壁３３を起点として蓋側軸方向Ｔ（容器側軸方向Ｙ）の上方側に延在すると共に、蓋側軸３２Ｄ（容器側軸２０Ｂ）を軸とする環状の面であり、蓋側軸３２Ｄ（容器側軸２０Ｂ）の周り方向を一周して予備空間Ｓ２を取り囲む。予備空間側分離壁面３３Ｃは、予備空間Ｓ２よりも蓋側軸方向Ｔ（容器側軸方向Ｙ）の下方側に位置し、蓋側軸方向Ｔ（容器側軸方向Ｙ）において予備空間Ｓ２に対向する。
【００３６】
なお、本実施形態では予備空間Ｓ２は、予備凹部３８の外部側開口３８Ａを通じて外部に開放されているが、これに限定されるものではなく、外部に開放されておらず、閉じられた空間であってもよい。この場合、予備凹部３８は、外部側開口３８Ａを塞がれて、予備空間Ｓ２は外部に開放されないものとして構成される。本発明では、予備空間Ｓ２が外部に開放された態様、外部に開放されない態様（図１０（Ｂ）参照）をも含めて予備空間Ｓ２有するものを予備部と定義する。
【００３７】
連通通路３４は、図４（Ａ），（Ｂ）に示すように、分離壁３３を蓋側軸方向Ｔ（容器側軸方向Ｙ）に貫通し、容器挿入空間Ｓ１と予備空間Ｓ２とを連通させる。連通通路３４は、例えば、図４（Ｃ），（Ｄ）に示すように、栓部３１の周囲において分離壁３３を４箇所貫通するような態様が一例として挙げられるが、これに限定するものではなく、その他の態様であってもよい。連通通路３４は、図４（Ａ）に示すように、容器挿入側開口３４Ａおよび予備空間側開口３４Ｂを有する。
【００３８】
容器挿入側開口３４Ａは、容器挿入空間Ｓ１に近位な側に設けられた連通通路３４の開口である。容器挿入側開口３４Ａは、図５（Ｂ）に示すように、容器２から漏れ出て隙間空間Ｓ３に収容された液体等の内容物Ｌの連通通路３４への入口として機能する。予備空間側開口３４Ｂは、予備空間Ｓ２に近位な側に設けられた連通通路３４の開口である。予備空間側開口３４Ｂは、図５（Ｂ）に示すように、液体等の内容物Ｌの連通通路３４からの出口として機能する。予備空間側開口３４Ｂを通過した液体等の内容物Ｌは、予備空間Ｓ２に収容される。
【００３９】
蓋側係止部３６は、図４（Ｂ）に示すように、既に説明した容器側係止部２９と一体となって、蓋３を容器２に係止する係止機構を構成する。蓋側係止部３６として、例えば、容器挿入空間側内部壁面３２Ｂに形成される雌ねじ溝が一例として挙げられるが、これに限定されるものではない。係止機構は、例えば、容器本体部２０の外周面に設けられたリブ（容器側係止部２９）と、蓋の内周面側に設けられたリブに嵌合する凹部（蓋側係止部３６）とにより構成されたワンタッチで脱着可能な機構であってもよいし、その他の機構であってもよい。
【００４０】
＜栓部＞
次に、図４を参照して、栓部３１について説明する。栓部３１は、容器挿入空間側分離壁面３３Ｂを起点として蓋側軸方向Ｔ（容器側軸方向Ｙ）の容器挿入空間Ｓ１側に凸となる凸部により構成される。栓部３１を構成する凸部は、ノズル２１の連通通路２５の径とほぼ同径で所定の長さを有する。このため、ノズル２１の先端開口２６を通じて栓部３１が連通通路２５に挿入されると、ノズル２１の先端開口２６は塞がれる。
【００４１】
＜容器に蓋を装着させたときの構造について＞
図４〜図６を参照して、容器２に蓋３を装着させたときの構造について説明する。容器２が容器挿入側凹部３７に挿入されて栓部３１により先端開口２６が塞がれた際、図４（Ｂ）に示すように、容器２の先端開口２６側の外周側先端部２６Ａおよびその近傍における容器２の外周面（先端開口２６の近傍のノズル２１の外周面２１Ａである先端側外周面２１Ｂ）と、容器挿入空間側内部壁面３２Ｂおよび容器挿入空間側分離壁面３３Ｂとの間に隙間空間Ｓ３が形成される。本実施形態において隙間空間Ｓ３は、ノズル２１の周囲に形成される環状の空間となるが、これに限定されるものではなく、ノズル２１の周囲に形成される環状の空間の一部を閉じた空間（例えば、Ｃ型空間）であってもよい。
【００４２】
また、容器２が容器挿入側凹部３７に挿入されて栓部３１により先端開口２６が塞がれた際、図４（Ｂ），（Ｃ）に示すように、容器２の先端開口２６を起点として径方向Ｘ外側に広がる開口側端面２６Ｂ全体領域が容器挿入空間側分離壁面３３Ｂに接触してもよいし、図４（Ｄ）に示すように、開口側端面２６Ｂの一部領域が容器挿入空間側分離壁面３３Ｂに接触してもよい。ただし、開口側端面２６Ｂの一部領域が容器挿入空間側分離壁面３３Ｂに接触する場合、開口側端面２６Ｂの残りの部分は、蓋側軸方向Ｔ（容器側軸方向Ｙ）において容器挿入側開口３４Ａと対向する。
【００４３】
なお、隙間空間Ｓ３を囲む容器挿入空間側内部壁面３２Ｂおよび容器挿入空間側分離壁面３３Ｂの領域を隙間空間形成領域と定義する。容器挿入空間側分離壁面３３Ｂから容器側軸方向Ｙ（蓋側軸方向Ｔ）の下方側に所定距離離れた位置Ｑ（図４（Ｂ）参照）まで隙間空間形成領域は延在する。隙間空間形成領域の下限（位置Ｑ）よりも容器側軸方向Ｙ（蓋側軸方向Ｔ）の下方側では、容器２の外周面（ノズル２１の外周面２１Ａ）と容器挿入空間側内部壁面３２Ｂとは、ほぼ当接した状態になる。隙間空間Ｓ３は、図４（Ｂ）に示すように、容器２の先端開口２６側の外周側先端部２６Ａおよびその近傍における容器２の外周面（ノズル２１の先端側外周面２１Ｂ）、隙間空間形成領域に対応する容器挿入空間側内部壁面３２Ｂおよび容器挿入空間側分離壁面３３Ｂにより閉じられて形成される。
【００４４】
例えば、ノズル２１の先端開口２６から接着剤が排出された直後に栓部３１により先端開口２６が塞がれると、先端開口２６から接着剤が漏れ出ることがある。漏れ出た接着剤は、まず、隙間空間Ｓ３に溜められる。
【００４５】
漏れ出た接着剤で隙間空間Ｓ３が充填された場合、図５（Ａ），（Ｂ）に示すように、余剰の接着剤は、連通通路３４を通じて予備空間Ｓ２に向かって移動する。そして、余剰の接着剤は、図６（Ａ）に示すように、予備空間Ｓ２で溜められる。隙間空間Ｓ３および予備空間Ｓ２に硬化した接着剤Ａが溜められている状態において、予備凹部３８の外部側開口３８Ａを通じて予備空間Ｓ２に溜められた硬化した接着剤Ａを工具等で外部から除去した後に、図６（Ｂ）に示すように、細い棒体２００により連通通路３４を突っついて隙間空間Ｓ３に溜まる硬化した接着剤Ａを粉砕することができる。これにより、蓋３と容器２とが接着剤Ａにより接着した状態でなくなる。結果、接着剤Ａが硬化して、蓋３を開けることが極めて困難な状態になっても、外部から当該状態をなくすことができる。
【００４６】
＜第二実施形態＞
図７〜図１０を参照して、本発明の第二実施形態における蓋付き容器１について説明する。本実施形態における蓋付き容器１は、本発明の第一実施形態における蓋付き容器１と同様に、接着剤等の液体を収容するものであり、容器２と、蓋３と、を有する。ただし、本実施形態における蓋付き容器１は、図７（Ｂ）に示すように、容器２に蓋３を装着させたとき、連通通路３４に連通する隙間空間Ｓ３が形成されない点で、本発明の第一実施形態における蓋付き容器１と異なる。
【００４７】
本実施形態では、容器２が容器挿入側凹部３７に挿入されて栓部３１により先端開口２６が塞がれた際、図８（Ａ）に示すように、容器２の先端開口２６側の外周側先端部２６Ａを起点とした蓋側軸方向Ｔ（容器側軸方向Ｙ）の所定区間Ｍ１における容器２の外周面全体（例えば、ノズル２１の先端側外周面２１Ｂ）と、容器挿入空間側内部壁面３２Ｂの所定領域（以下、外周側密着領域と呼ぶ。）Ｒ１は密着する。外周側密着領域Ｒ１は、所定区間Ｍ１を蓋側軸方向Ｔ（容器側軸方向Ｙ）に延在する共に、蓋側軸方向Ｔ（容器側軸方向Ｙ）を軸とする環状の領域となる。なお、本実施形態では連通通路３４に連通する隙間空間Ｓ３が形成されなければよい。このため、図８（Ａ）の右側の楕円領域Ｋで示されるように、外周側密着領域Ｒ１は、少なくとも外周側先端部２６Ａおよびその近傍の区間Ｍ２における容器２の外周面全体と密着していれば足りる。このようにすれば、容器２と容器挿入側凹部３７との間に隙間空間が形成されてもその隙間空間は、連通通路３４に連通しないからである。
【００４８】
また、本実施形態では、容器２が容器挿入側凹部３７に挿入されて栓部３１により先端開口２６が塞がれた際、図８（Ａ），（Ｂ）に示すように、容器２の先端開口２６を起点として径方向Ｘ外側に広がる開口側端面２６Ｂの一部領域（以下、端面側非密着領域と呼ぶ。）ｒ１は、蓋側軸方向Ｔ（容器側軸方向Ｙ）において、連通通路３４の容器挿入側開口３４Ａと対向する。また、開口側端面２６Ｂの残りの少なくとも一部の領域（以下、端面側密着領域と呼ぶ。）ｒ２は、図８（Ａ），（Ｂ）に示すように、容器挿入空間側分離壁面３３Ｂの所定領域（以下、開口側密着領域と呼ぶ。）Ｒ２に密着する。なお、本実施形態において開口側端面２６Ｂの端面側非密着領域ｒ１は、図８（Ｂ）に示すように、開口側端面２６Ｂにおいて先端開口２６を起点として径方向Ｘに放射状に広がる領域である。また、本実施形態において開口側端面２６Ｂの端面側密着領域ｒ２は、開口側端面２６Ｂの端面側非密着領域ｒ１の外縁を起点として径方向Ｘに広がる領域である。つまり、図８（Ａ），（Ｂ）に示すように、本実施形態において開口側端面２６Ｂの端面側非密着領域ｒ１および開口側端面２６Ｂの端面側密着領域ｒ２は、開口側端面２６Ｂの領域を径方向に分割したものであり、双方とも環状領域となる。
【００４９】
なお、開口側端面２６Ｂの端面側非密着領域ｒ１および開口側端面２６Ｂの端面側密着領域ｒ２が、図９（Ａ）,（Ｂ）に示すように形成された場合であってもよい。図９（Ａ）の場合、開口側端面２６Ｂの端面側非密着領域ｒ１および開口側端面２６Ｂの端面側密着領域ｒ２は、開口側端面２６Ｂの領域を開口側端面２６Ｂの周方向（容器２の周方向）に分割したものである。結果、開口側端面２６Ｂの端面側非密着領域ｒ１および開口側端面２６Ｂの端面側密着領域ｒ２は、環状領域が周方向に分割された領域となる。
【００５０】
図９（Ｂ）の場合、開口側端面２６Ｂの端面側非密着領域ｒ１および開口側端面２６Ｂの端面側密着領域ｒ２は、開口側端面２６Ｂの領域を径方向に分割したものである。ただし、図８（Ａ），（Ｂ）に示す場合と異なり、開口側端面２６Ｂの端面側密着領域ｒ２が、図９（Ｂ）に示すように、開口側端面２６Ｂにおいて先端開口２６を起点として径方向Ｘに放射状に広がる領域である。また、開口側端面２６Ｂの端面側非密着領域ｒ１が、開口側端面２６Ｂの端面側密着領域ｒ２の外縁を起点として径方向Ｘに広がる領域である。
【００５１】
なお、端面側密着領域ｒ２は、端面側非密着領域ｒ１以外の開口側端面２６Ｂの残り領域全部でなくてもよい。図９（Ｂ）の楕円領域Ｊに示すように、例えば、容器挿入空間側内部壁面３２Ｂの一部を構成する容器挿入空間側内部壁面３２ＢＡが端面側密着領域ｒ２となり、容器挿入空間側内部壁面３２Ｂの一部を構成する容器挿入空間側内部壁面３２ＢＢと対向する開口側端面２６Ｂの一部が端面側非密着領域ｒ１となる場合、容器挿入空間側内部壁面３２ＢＢと開口側端面２６Ｂの一部との間には、隙間空間Ｓ４が形成される。ただし、この隙間空間Ｓ４は、連通通路３４（容器挿入側開口３４Ａ）との間に端面側密着領域ｒ２に対応する分離壁３３の一部があるため、連通通路３４に連通しない。このようなものも本発明の範囲に含まれる。なお、容器挿入空間側内部壁面３２ＢＡは、連通通路３４（容器挿入側開口３４Ａ）に隣接すると共に連通通路３４（容器挿入側開口３４Ａ）に近位な面である。また、挿入空間側内部壁面３２ＢＢは、容器挿入空間側内部壁面３２ＢＡに隣接すると共に連通通路３４（容器挿入側開口３４Ａ）に遠位な面である。
【００５２】
以上のように構成されれば、栓部３１を先端開口２６に挿入する際に漏れ出てきた内容物は、隙間空間がなくても、または、隙間空間を経ずに、連通通路３４の容器挿入側開口３４Ａを通過する。ただし、図８（Ａ），（Ｂ）および図９（Ａ）に示す場合、先端開口２６から漏れ出て来た内容物は、そのまま連通通路３４の容器挿入側開口３４Ａを通過する。一方、図９（Ｂ）に示す場合、先端開口２６から漏れ出て来た内容物は、開口側密着領域Ｒ２に対応する区間を通って連通通路３４の容器挿入側開口３４Ａに到達する。このため、図９（Ｂ）に示す場合に比べて、図８（Ａ），（Ｂ）および図９（Ａ）に示す場合の方が好ましい。なお、図８（Ａ），（Ｂ）および図９（Ａ），（Ｂ）の構造の一部を適宜、組み合わせたものも本発明に含まれる。
【００５３】
ただし、図１０（Ａ）に示すように、開口側密着領域Ｒ２が開口側端面２６Ｂの全領域ｒ３と密着されるように構成された場合、先端開口２６から漏れ出て来た内容物が連通通路３４の容器挿入側開口３４Ａに行くには、開口側密着領域Ｒ２に対応する区間、およびそのとは、別の密着領域Ｒ３に対応する区間を経由する必要がある。先端開口２６から漏れ出て来た内容物が連通通路３４の容器挿入側開口３４Ａに到達する容易さを考慮すると、開口側密着領域Ｒ２は、開口側端面２６Ｂの全領域ではなく、一部領域と密着している方が好ましい。
【００５４】
＜第三実施形態＞
図１１および図１２を参照して、本発明の第三実施形態における蓋付き容器１について説明する。本実施形態における蓋付き容器１は、本発明の第一実施形態における蓋付き容器１と同様に、接着剤等の液体を収容するものであり、容器２と、蓋３と、を有する。ただし、本実施形態における蓋付き容器１は、図１１および図１２に示すように、弁部３５を有する点が他の実施形態とは異なる。
【００５５】
弁部３５は、図１２（Ａ），（Ｂ）に示すように、液体等の内容物Ｌが容器挿入空間Ｓ１から予備空間Ｓ２に向かう場合、開いて液体等の内容物Ｌを通すが、液体等の内容物Ｌが予備空間Ｓ２から容器挿入空間Ｓ１に向かう場合、閉じたままの状態で液体等の内容物Ｌの流れを遮断するものである。弁部３５は、例えば、連通通路３４の予備空間側開口３４Ｂに設けられる。
【００５６】
弁部３５は、図１２（Ａ），（Ｂ）に示すように、例えば、蓋体３５０と、回動軸３５１と、蓋体復帰部３５２とにより構成される。蓋体３５０は、予備空間側開口３４Ｂを塞ぐことができる大きさを有する。また、蓋体３５０は、回動軸３５１に回動自在に軸着される。回動軸３５１は、連通通路３４の通路方向（容器側軸方向Ｙ）に直角な方向に延在する。また、回動軸３５１は、予備空間側開口３４Ｂの近傍に設けられる。
【００５７】
また、連通通路３４は、予備空間側開口３４Ｂの近傍に、段部３４０を有する。段部３４０は、予備空間側開口３４Ｂから遠位な遠位面３４１と、予備空間側開口３４Ｂから近位な近位面３４２とにより構成される。遠位面３４１は、連通通路３４の通路方向（容器側軸方向Ｙ）において、予備空間Ｓ２と対向する。近位面３４２は、連通通路３４の幅方向において、回動軸３５１、または、連通通路３４の構成面３４Ｃと対向する。
【００５８】
初期状態において蓋体３５０は、図１２（Ａ）に示すように、連通通路３４の通路方向（容器側軸方向Ｙ）において遠位面３４１と接触して、予備空間側開口３４Ｂを塞ぐ。このとき、遠位面３４１は、蓋体３５０が連通通路３４側への回動を規制するストッパとして機能する。また、蓋体３５０が遠位面３４１に接触すると、蓋体３５０は、予備空間側開口３４Ｂの開口面に平行となる姿勢（以下、開口閉塞姿勢と呼ぶ。）をとる。
【００５９】
蓋体復帰部３５２は、蓋体３５０が予備空間Ｓ２側に回動した際、蓋体３５０が開口閉塞姿勢に復帰するように機能する。蓋体復帰部３５２は、例えば、ねじりコイルばねにより構成されることが想定されるが、これに限定されるものではなく、その他の部材により構成されてもよい。
【００６０】
なお、本実施形態は、第一実施形態における蓋付き容器１に弁部３５を設けた態様になっているが、これに限定されるものではなく、第二実施形態における蓋付き容器１に弁部３５を設けた態様であってもよい。
【００６１】
＜弁部の動きについて＞
例えば、ノズル２１の先端開口２６から接着剤が排出された直後に栓部３１により先端開口２６が塞がれると、先端開口２６から接着剤が漏れ出ることがある。漏れ出た接着剤は、図１２（Ａ）に示すように、連通通路３４を通じて予備空間Ｓ２に向かって移動する。このとき、弁部３５には容器挿入空間Ｓ１から予備空間Ｓ２に向かう方向に力が加わるため、弁部３５は開く。そして、余剰の接着剤は、予備空間Ｓ２に溜められる。一方、弁部３５に予備空間Ｓ２から容器挿入空間Ｓ１に向かう方向に力が外部から加えられても、遠位面３４１がストッパとして機能するため、弁部３５は閉じた状態を維持する。
【００６２】
なお、本実施形態においてノズル２１は、容器本体部２０の容器側軸方向Ｙに延在するが、これに限定されるものではない。例えば、例えば、ノズル２１が容器本体部２０の側面から径方向Ｘに延在してもよい。この場合、容器本体部２０の軸方向とノズル２１の軸方向とは異なるが、蓋３の蓋側軸方向Ｔは、ノズル２１の軸方向に一致する。つまり、本発明では、蓋３の蓋側軸方向Ｔは、容器の先端開口２６側が延在する方向（容器開口側延在方向）に一致する。
【００６３】
尚、本発明の蓋および、蓋付き容器は、上記した実施の形態に限定されるものではなく、本発明の要旨を逸脱しない範囲内において種々変更を加え得ることは勿論である。
【符号の説明】
【００６４】
１  蓋付き容器
２  容器
２Ａ  周面
３  蓋
２０  容器本体部
２０Ａ  容器本体部の外周面
２０Ｂ  容器側軸
２１  ノズル
２１Ａ  ノズルの外周面
２１Ｂ  先端側外周面
２２  容器収容部
２２Ａ  容器収容部の収容空間
２３  容器本体部の収容空間
２４  凸部
２４Ａ  凸部の表面
２５  連通通路
２６  先端開口
２６Ａ  外周側先端部
２６Ｂ  開口側端面
２７  容器収容側周壁部
２７Ａ  容器上方側開口
２７Ｂ  容器下方側開口
２７Ｃ  凸部対向側周壁部
２７Ｄ  内部側壁面
２８  容器収容側床部
２８Ａ  容器収容側床面
２９  容器側係止部
３０  蓋本体部
３１  栓部
３２  周壁
３２Ａ  外部側壁面
３２Ｂ  容器挿入空間側内部壁面
３２Ｃ  予備空間側内部壁面
３２Ｄ  蓋側軸
３２Ｅ  内部側壁面
３２Ｆ  段部
３３  分離壁
３３Ｂ  容器挿入空間側分離壁面
３３Ｃ  予備空間側分離壁面
３４  連通通路
３４Ａ  容器挿入側開口
３４Ｂ  予備空間側開口
３４Ｃ  構成面
３５  弁部
３６  蓋側係止部
３７  容器挿入側凹部
３８  予備凹部
３８Ａ  外部側開口
２００  棒体
３４０  段部
３４１  遠位面
３４２  近位面
３５０  蓋体
３５１  回動軸
３５２  蓋体復帰部
Ｑ  位置
ｒ１  端面側非密着領域
Ｒ１  外周側密着領域
Ｒ２  開口側密着領域
ｒ２  端面側密着領域
ｒ３  開口側端面の全領域
Ｒ３  別の密着領域
Ｓ１  容器挿入空間
Ｓ２  予備空間
Ｓ３，Ｓ４  隙間空間
Ｔ  蓋側軸方向
Ｘ  径方向
Ｙ  容器側軸方向
【図１】
2020193032.tif 000003
【図２】
2020193032.tif 000004
【図３】
2020193032.tif 000005
【図４】
2020193032.tif 000006
【図５】
2020193032.tif 000007
【図６】
2020193032.tif 000008
【図７】
2020193032.tif 000009
【図８】
2020193032.tif 000010
【図９】
2020193032.tif 000011
【図１０】
2020193032.tif 000012
【図１１】
2020193032.tif 000013
【図１２】
2020193032.tif 000014